(57)【要約】【課題】能率の良い試験管理が可能な試験管理システムを提供する。【解決手段】管理側装置１１は依頼手段１１１により、ネットワーク１２を介して試験実施側装置１０に試験依頼すると、試験実施側装置１０は、依頼受付手段１０１にて依頼を受け付け、試験計画作成手段１０２にて試験依頼に基づいた試験計画を作成する。さらに、試験計画に基づいて実施された試験の試験結果を試験結果入力手段１０３にて入力する。管理側装置１１は閲覧手段１１２により、その試験計画や試験結果をＷｅｂブラウザで閲覧することで、試験の進捗状況を随時把握する。【選択図】図１
2008210188.tif 000002
【特許請求の範囲】
【請求項１】
ネットワークを介して依頼元からの試験依頼を受け付ける依頼受付手段と、前記試験依頼に基づいた試験計画を作成する試験計画作成手段と、前記試験計画に基づいて実施された試験の試験結果を入力する試験結果入力手段と、を有する試験実施側装置と、
前記試験実施側装置に前記試験の実施を依頼する試験依頼手段と、依頼した前記試験の前記試験計画または前記試験結果を、前記ネットワークを介して閲覧する閲覧手段と、を有する管理側装置と、
を具備することを特徴とする試験管理システム。
【請求項２】
前記試験実施側装置は、前記試験後に、次回以降に前記試験を行う作業予定日を設定する試験計画更新手段を有することを特徴とする請求項１記載の試験管理システム。
【請求項３】
前記試験実施側装置は、入力した測定データを基に自動的に複数種類のグラフを作成するグラフ作成手段を有することを特徴とする請求項１または２記載の試験管理システム。
【請求項４】
前記試験実施側装置は、入力した測定データと、基準となる測定データとの比較計算を行う比較計算手段を有することを特徴とする請求項１乃至３のいずれか一項に記載の試験管理システム。
【請求項５】
前記試験実施側装置は、表示手段をさらに有し、
前記試験計画作成手段は前記試験計画ごとに担当者を設定し、前記表示手段は担当者ごとの当日の作業予定を表示することを特徴とする請求項１乃至４のいずれか一項に記載の試験管理システム。
【請求項６】
試験依頼手段はネットワークを介して依頼先に試験依頼し、
依頼受付手段は前記ネットワークを介して依頼元からの前記試験依頼を受け付けると、試験計画作成手段は前記試験依頼に基づいた試験計画を作成し、
試験結果入力手段は前記試験計画に基づいて実施された試験の試験結果を入力し、
依頼元は、閲覧手段によって前記ネットワークを介して前記試験計画または前記試験結果を閲覧することを特徴とする試験管理方法。
【発明の詳細な説明】
【技術分野】
【０００１】
本発明は、試験管理システム及び試験管理方法に関し、特に製品などの信頼性を試験する信頼性試験の試験管理システム及び試験管理方法に関する。
【背景技術】
【０００２】
従来から、製品や半完成品に対して、品質確保、新製品の早期立ち上げ、故障発生の未然防止などを目的とした、信頼性試験が行われている。
通常、信頼性試験は、管理部門から試験実施部門へのペーパーなどによる依頼によって始まる。そして、試験の進捗管理は、管理部門から試験実施部門への電話問い合わせなどで行っている。
【０００３】
なお、経時的劣化により故障する部品についての信頼性を判定するシステムとして、経時的に変化しないストレスや経時的に変化するストレスを、インターネットを介して入力し、信頼性を判定して、その結果を、インターネットを介して出力する技術が特許文献１に開示されている。
【特許文献１】特開２００２−２３６１４６号公報
【発明の開示】
【発明が解決しようとする課題】
【０００４】
しかし、信頼性試験における試験依頼や試験の進捗状況などを統合的に管理するシステムはなく、試験実施部門と管理部門とが乖離していた。そのため、前述のように試験依頼をペーパーで行ったり、試験の進捗状況の確認を電話で行うなど、能率の良い試験管理が困難であった。
【０００５】
本発明はこのような点に鑑みてなされたものであり、能率の良い試験管理が可能な試験管理システム及び試験管理方法を提供することを目的とする。
【課題を解決するための手段】
【０００６】
本発明者らは、ネットワークを介して依頼元からの試験依頼を受け付ける依頼受付手段と、前記試験依頼に基づいた試験計画を作成する試験計画作成手段と、前記試験計画に基づいて実施された試験の試験結果を入力する試験結果入力手段と、を有する試験実施側装置と、前記試験実施側装置に前記試験の実施を依頼する試験依頼手段と、依頼した前記試験の前記試験計画または前記試験結果を、前記ネットワークを介して閲覧する閲覧手段と、を有する管理側装置と、を具備した試験管理システムを提案する。
【０００７】
上記の構成によれば、管理側装置がネットワークを介して試験実施側装置に試験依頼すると、試験実施側装置は、その試験依頼に基づいた試験計画を作成する。さらに、試験計画に基づいて実施された試験の試験結果を入力する。管理側装置は閲覧手段により、その試験計画や試験結果を閲覧することで、試験の進捗状況が随時把握可能になる。
【発明の効果】
【０００８】
本発明では、試験実施側装置が依頼元からの試験依頼を、ネットワークを介して受け付け、その試験依頼に基づいた試験計画を作成する。また、この試験計画に基づいて実施された試験の試験結果を入力し、依頼元の管理側装置は閲覧手段によりネットワークを介してその試験計画と試験結果とを閲覧するようにしたので、試験の進捗状況を随時把握することができ、能率の良い試験管理が可能になる。
【発明を実施するための最良の形態】
【０００９】
以下、本発明の実施の形態を図面を参照して詳細に説明する。
図１は、本実施の形態の試験管理システムの概略の構成を示す図である。
試験管理システムは、試験実施側装置１０と管理側装置１１とを有し、これらはネットワーク１２により接続されている。
【００１０】
試験実施側装置１０は、依頼受付手段１０１、試験計画作成手段１０２、試験結果入力手段１０３、試験計画更新手段１０４、グラフ作成手段１０５、測定データ比較計算手段１０６、通知手段１０７及び記憶手段１０８を有している。
【００１１】
依頼受付手段１０１は、ネットワーク１２を介して依頼元からの試験依頼を受け付ける。
試験計画作成手段１０２は、試験依頼に基づいて試験計画を作成する。ここで、試験の目的、対象となる製品の品番やロット番号などの基本項目のほか、試験項目ごとに、試験条件、試験数（サンプル数）が設定される。また、どのような周期で試験を行うかの時系列単位（一定時間、サイクルや温度など）、試験項目ごと必要な測定項目や、測定項目ごとの測定値の上限値や下限値などが設定される。さらに、測定データに対して、どのような計算を自動的に行うかが設定され、その測定データの上限値と下限値及び計算値の上限値と下限値も設定される。また、スケジュールとして、予想される試験時間（もしくはサイクル、回数、温度など（上記の時系列単位で決まる））、試験予定日が設定される。なお、試験計画作成手段１０２は、試験依頼によらない試験などは独自に試験計画を作成するようにしてもよい。
【００１２】
試験結果入力手段１０３は、作成された試験計画に基づいて実施された試験の試験結果を入力する。試験結果は、試験計画で設定された測定項目に応じた測定データ、実施時間、実施日や不良数などである。
【００１３】
試験計画更新手段１０４は、試験結果に応じて、次回以降に試験を行う作業予定日を設定する。
グラフ作成手段１０５は、試験結果入力手段１０３で入力した測定データや過去に測定した測定データを基に、各種のグラフを自動的に作成する。
【００１４】
測定データ比較計算手段１０６は、始め（時系列０のとき）の測定データ（基準データ）と、一定期間経過後に測定されたデータとを比較計算する。このとき、試験計画で設定された計算方法が選択される。比較計算方法には、変化率計算、変化量計算、倍率計算またはＰＰＭ（Part Per Million）計算などがある。
【００１５】
なお、ＰＰＭは百万分率のことであり、１００万分の１を基準とする割合の単位である。主に、濃度を表すために用いられるが、不良発生率などの確率を表すこともある。パーセントに換算すると、１ＰＰＭ＝０．０００１％となる。ＰＰＭ計算は、変化量／基準データ×１，０００，０００で行う。
【００１６】
通知手段１０７は、電子メールなどで、試験結果、試験が完了した場合の通知、異常や不具合が発生した場合の通知などを依頼元に送信する。また、前述のグラフや添付書類（メモ、データや写真など）を添付して送付してもよい。
【００１７】
記憶手段１０８は、作成した試験計画、試験結果、グラフ、比較計算結果などを記憶する。なお、この記憶手段１０８は、試験実施側装置１０の中になくてもよく、ネットワーク１２に接続されているデータベース用コンピュータとしてもよい。
【００１８】
ネットワーク１２は、ＬＡＮ（Local Area Network）や、ＷＡＮ（Wide Area Network）で構成されるインターネットまたはイントラネットである。
管理側装置１１は、依頼手段１１１と、閲覧手段１１２とを有している。
【００１９】
依頼手段１１１は、ネットワーク１２を介して試験実施側装置１０に試験の実施を依頼する。
閲覧手段１１２は、ネットワーク１２を介して、例えば、Ｗｅｂブラウザなどで依頼した試験の試験計画や試験結果を閲覧する。また、比較計算結果や作成したグラフを閲覧するようにしてもよい。
【００２０】
以下、図１の試験管理システムの概略の動作を説明する。
管理側装置１１の依頼手段１１１によって、ネットワーク１２を介して試験の実施が依頼されると、試験実施側装置１０の依頼受付手段１０１はその依頼を受け付ける。そして、試験計画作成手段１０２によって、依頼された内容に基づいた試験計画が作成される。作成された試験計画は記憶手段１０８に記憶される。
【００２１】
その後、作成された試験計画に基づいて試験が実施されると、試験結果入力手段１０３によって、測定データ、実際に試験を行った実施日や実施時間などの試験結果が入力される。試験結果は、試験計画と関連付けられて記憶手段１０８に記憶される。例えば、測定データなどに試験計画の識別情報や、いつ実施した試験の測定データなのかを示す時系列値などが付加されて記憶される。これによって、試験結果がどの試験計画に属するものかが簡単に識別でき、時間のかかる引当作業（この試験に用いたのはこの測定データといった関連をしらべ、資料を用意する作業）をなくすことができる。
【００２２】
さらに、試験計画更新手段は、今回の試験実施日などを基に、次回以降に試験を行う作業予定日を設定することで、記憶手段１０８に記憶されている試験計画を更新する。
また、測定データを基にグラフ作成手段１０５によりグラフが作成された場合には、そのグラフが記憶手段１０８に記憶される。測定データ比較計算手段１０６によって測定データの比較計算が行われた場合にも同様に、その計算結果が記憶手段１０８に記憶される。
【００２３】
管理側装置１１は、随時、閲覧手段１１２によってネットワーク１２を介して、作成された試験計画、その試験計画に関連付けられた試験結果、測定データやグラフなどをＷｅｂブラウザなどにより閲覧する。これによって、依頼した試験の進捗状況を把握することができる。また、通知手段１０７による試験結果などの通知を受けてもよい。
【００２４】
このように、図１のような試験管理システムによれば、試験依頼をペーパーではなくネットワーク１２を介して行っているので、情報伝達が早く、用紙の保管業務や場所も必要がない。そして、試験計画や試験結果を、ネットワーク１２を介して閲覧可能であるので、管理部門では、試験の進捗状況を、管理側装置１１を用いて随時把握することができる。これにより、能率の良い試験管理が可能となる。
【００２５】
また、試験後に次回以降の作業予定日を設定することで、管理部門では、実際に試験を行う現場の予定を把握することが可能である。
また、測定データを基に自動的にグラフの作成や、測定データの比較計算を行うようにしたので、オペレータの労力を軽減するともに、計算ミスや判断ミスを防止することができる。
【００２６】
以下、本実施の形態の試験管理システムをより具体的に説明する。
図２は、試験管理システムのシステム構成例である。
ここで示す試験管理システムは、複数の試験実施側装置２０１−１，２０１−２，…，２０１−ｎと、管理側装置２０２−１，２０２−２，…，２０２−ｍを有している。試験実施側装置２０１−１〜２０１−ｎはＬＡＮ２０３に接続している。ＬＡＮ２０３にはデータベース（ＤＢ）サーバ２０４が接続されている。また、ＬＡＮ２０３はＷｅｂサーバ２０５を介してＷＡＮ２０６に接続されている。管理側装置２０２−１〜２０２−ｍはＷＡＮ２０６に接続している。
【００２７】
このような試験管理システム内では、ＷＷＷ（World Wide Web）機能が使用可能となっており、管理側装置２０２−１〜２０２−ｍはＷｅｂブラウザを用いてネットワーク上の情報の検索などを行うことができる。
【００２８】
試験実施側装置２０１−１〜２０１−ｎ及び管理側装置２０２−１〜２０２−ｍは、図１で示したような機能を有する。具体的なハードウェア構成例を以下に示す。
図３は、試験実施側装置のハードウェア構成例である。
【００２９】
試験実施側装置２０１−１〜２０１−ｎは、例えば、コンピュータ３００であり、ＣＰＵ（Central Processing Unit）３０１、ＲＯＭ（Read Only Memory）３０２、ＲＡＭ（Random Access Memory）３０３、ＨＤＤ（Hard Disk Drive）３０４、グラフィック処理部３０５、入力Ｉ／Ｆ（Interface）３０６、及び通信Ｉ／Ｆ３０７によって構成され、これらはバス３０８を介して相互に接続されている。
【００３０】
ここで、ＣＰＵ３０１は、ＲＯＭ３０２や、ＨＤＤ３０４に格納されているプログラムや、各種データに応じて各部を制御し、図１に示した試験実施側装置１０の各機能を行う。
【００３１】
ＲＯＭ３０２は、ＣＰＵ３０１が実行する基本的なプログラムやデータを格納している。
ＲＡＭ３０３は、ＣＰＵ３０１が実行途中のプログラムや、演算途中のデータを格納している。
【００３２】
ＨＤＤ３０４は、ＣＰＵ３０１が実行するＯＳ（Operation System）、各種アプリケーションプログラム、及び各種データを格納する。
グラフィック処理部３０５には、表示装置として、例えば、ディスプレイ３０５ａが接続されており、ＣＰＵ３０１からの描画命令に従って、ディスプレイ３０５ａ上に、試験計画、試験結果や各種グラフなどを表示する。
【００３３】
入力Ｉ／Ｆ３０６には、マウス３０６ａやキーボード３０６ｂなどの入力装置が接続されており、試験の実施後に、ユーザにより入力された測定データなどの試験結果を受信し、バス３０８を介してＣＰＵ３０１に伝送する。
【００３４】
通信Ｉ／Ｆ３０７は、例えば、工場内のＬＡＮ３０７ａと接続して、ＬＡＮ３０７ａ上のＤＢサーバ２０４やＷｅｂサーバ２０５と通信を行う。
なお、管理側装置２０２−１〜２０２−ｍもほぼ同様のハードウェア構成であるので説明を省略する。
【００３５】
以下、図２のような試験管理システムの動作を説明する。
例えば、管理側装置２０２−１によって、ある製品または半完成品の信頼性試験を依頼する場合、管理側装置２０２−１のユーザはＷｅｂブラウザを実行して、アドレスを指定してＷＡＮ２０６上のＷｅｂサーバ２０５にアクセスする。そして、依頼内容を入力する。その情報を送信することで、Ｗｅｂサーバ２０５にＬＡＮ接続された試験実施側装置２０１−１〜２０１−ｎに送られ、依頼内容に応じた試験計画が作成される。なお、依頼は電子メールなどで行うようにしてもよい。
【００３６】
試験計画の各項目は前述した通りであるが、ユーザによる入力としてもよいし、試験項目と対応付けられた測定項目などを自動的に選択するようにしてもよい。なお、試験計画ごとに担当者を割り当てるようにしてもよい。
【００３７】
図４は、試験計画を行う担当者を設定するための設定用画面例である。
試験実施側装置２０１−１〜２０１−ｎにおいて、作成された試験計画ごとに図４のような画面上で担当者を割り当てる。担当者設定用画面には、例えば、他に、試験の依頼を管理側装置２０２−１から受け付けた際の受付番号、受付年月日、依頼元、試験区分、グラフの要否、製品の型格、ロット番号、試験目的、試験計画の識別情報である計画書番号、計画年月日、グラフの作成状況、グラフ完了日などが表示される。また、中間の試験判定結果や最終的な試験判定結果が出ていれば、それを表示するようにしてもよい。
【００３８】
作成された試験計画は、例えば、ＤＢサーバ２０４上で記憶され、ＬＡＮ２０３に接続された試験実施側装置２０１−１〜２０１−ｎで共有化される。
その後、例えば、図４のように担当者が指定されている場合には、その担当者が試験計画に沿って各試験項目を実施する。そして、自身のコンピュータ（試験実施側装置２０１−１〜２０１−ｎのいずれか）に試験結果を入力する。
【００３９】
なお、試験実施側装置２０１−１〜２０１−ｎに、各種測定装置と接続するインターフェースを備え、測定装置から測定データを自動的に取り込むようにしてもよい。この取り込み対象となるデータファイルは市販の表計算ツールで編集が行えるファイル形式（ＣＳＶ（Comma Separated Value）など）であり、決められた仕様のフォーマットに合わせてこのファイルを測定装置側で作成することにより、自動取り込み後に試験管理システムのシステムデータとして取り扱うことが可能となる。このように、自動的に測定データを取り込むことで、入力工数を大幅に削減することが可能である。
【００４０】
また、試験実施側装置２０１−１〜２０１−ｎは、測定データの入力時に、単位を自動的に変換するようにしてもよい。入力される測定データとして、電流値、電圧値、抵抗値、重さや長さなど様々あるが、その単位も様々である。そのため、入力された測定データの単位を変換して、試験管理システムで用いる単位に揃える。例えば、単位の変換は変換元となる数値を１０のべき乗することで行う。例えば、システムではメートル（ｍ）を用いる場合、センチメートル（ｃｍ）の値が入力された場合には１０-2し、ミリメートル（ｍｍ）の値が入力された場合には１０-3し、キロメートル（ｋｍ）の値が入力された場合には１０3する。このような単位変換機能を備えることにより、オペレータの労力を軽減することができる。
【００４１】
試験結果が入力されると、さらに、次回以降の作業予定日を設定する。
図５は、試験計画及び試験結果の一部を示す図である。
試験計画作成時に設定される試験時間（初回からの累積時間で表されている）と試験予定日のほか、試験結果（実績時間、試験実施日や不良数）、及び試験後に設定される次回以降の作業予定日が示されている。このような情報や、その他の測定データなどは、管理側装置２０２−１〜２０２−ｍのＷｅｂブラウザで閲覧できるように、データベースサーバ２０４やＷｅｂサーバ２０５にアップロードしておく。
【００４２】
管理側装置２０２−１〜２０２−ｍは、図５のような試験計画と試験結果とをＷｅｂブラウザで閲覧することで、依頼した試験の進捗状況や、実施部門からみた作業予定日を把握することができる。
【００４３】
また、試験実施側装置２０１−１〜２０１−ｎにおいて、図４のように試験計画ごとに担当者を設定することで、担当者ごとの予定を管理することも可能になる。
図６は、担当者ごとの作業予定表の例を示す図である。
【００４４】
これは作成した試験計画を基に、その日の担当者ごとの作業予定を、試験実施側装置２０１−１〜２０１−ｎの表示手段（図３のディスプレイ３０５ａ）に表示した例である。担当者ごとに、試験を行う作業予定日、作業予定日からの遅れ、担当の試験計画の計画書番号、試験目的、型格、試験項目などが表示される。このように、当日の作業予定を示すことで、担当者の作業漏れを未然に防止し、納期遅延を防止することができる。なお、このような担当者ごとの予定を、Ｗｅｂサーバ２０５などにアップロードし、管理側装置２０２−１〜２０２−ｍにより参照できるようにしてもよい。
【００４５】
また、前述したように試験実施側装置２０１−１〜２０１−ｎは、入力した測定データと基準データとを基に、測定データの比較計算を行ったり、グラフを作成する機能を有している。
【００４６】
ユーザは試験によって得られた測定データと基準データとの比較計算を行う際に、２つのデータの変化率計算を行うのか、変化量計算を行うのか、倍率計算を行うのか、それともＰＰＭを計算するのかを指定する。指定内容は試験計画に反映され、測定データ取得時に試験実施側装置２０１−１〜２０１−ｎのＣＰＵ３０１は、自動的に選択された比較計算を行う。そして、その結果を、例えば、以下のようにディスプレイ３０５ａに表示させる。
【００４７】
図７は、比較計算結果の表示例である。
ここでは、比較計算方法として、変化量計算が指定された場合の計算結果を示している。試験項目、測定項目、使用する時系列、入力単位、指定した測定データの測定時の温度と湿度（試験条件）、測定日及び測定者、試験計画にある測定データの上限値や下限値などが表示される。
【００４８】
そして、実績時間ごとの測定データと変化量計算結果とが表示される。
変化量計算は、基準データ（実績時間０サイクルのときの測定データ）と所定時間経過後に測定した測定データとの差分であり、図７において楕円で囲った領域が計算結果である。この例では、２０個のサンプルについて計算しており、その平均値（ｍｅａｎ）、最大値（ＭＡＸ）、最小値（ＭＩＮ）を表示している。
【００４９】
また、本実施の形態の試験管理システムでは、例えば、信頼性試験業務で必要とされる２４種のグラフを自動的に作成する。
図８は、作成するグラフの種類の一覧表である。
【００５０】
Ｘ軸として指定される形式には、試験の前後軸、等間隔軸、対数軸がある。Ｙ軸として指定される形式には、等間隔軸と対数軸とがある。グラフ作成の対象データは、計量値（測定データ）と計量値を加工した加工値とがある。グラフ形式は、サンプルごと個別のグラフと、最大値（ＭＡＸ）、最小値（ＭＩＮ）、平均値（ＡＶＥ）のグラフとがある。これらの組み合わせで、２４種のグラフが作成される。
【００５１】
グラフ作成機能は、例えば、ＣＰＵ３０１で実行されるプログラムで実現され、以下のようにモジュール化されている。
図９は、グラフ作成モジュール群を示す図である。
【００５２】
グラフ作成モジュール群は、Ｘ軸の設定モジュール群として、試験前後のデータの変化を見るために試験前後軸を設定する試験前後軸設定モジュール４０１、等間隔軸を設定する等間隔軸設定モジュール４０２、対数軸を設定する対数軸設定モジュール４０３を有している。なお、等間隔軸設定モジュール４０２には、さらに軸の最大値を取得する最大値取得モジュール、最小値を取得する最小値取得モジュール、目盛間隔を取得する目盛間隔取得モジュールが含まれるが図示を省略している。Ｙ軸の設定モジュール群として、等間隔軸設定モジュール４０４と、対数軸設定モジュール４０５とを有している。
【００５３】
さらに、グラフ作成対象データ設定モジュール群として、計量値を取得する計量値取得モジュール４０６と、前述したような変化率計算、変化量計算、倍率計算またはＰＰＭ計算などで計算した結果（加工値）を取得する加工値取得モジュール４０７と、を有している。
【００５４】
さらに、グラフ線種設定モジュール群として、サンプルごと個別線取得モジュール４０８とＭＡＸ，ＭＩＮ，ＡＶＥ取得モジュール４０９とを有している。
さらに、グラフの描画を行うグラフ描画モジュール４１０を有している。
【００５５】
上記の複数のモジュールを組み合わせて機能させることで、例えば、前述したような２４種のグラフを作成することができる。なお、上記のモジュール群を、グラフ描画用の専用のハードウェアにより実現するようにしてもよい。
【００５６】
ところで、作成するグラフの軸設定はユーザが、計量値や加工値の数値データを見て行うことができる。
図１０は、グラフ軸を設定する際の設定画面の表示例である。
【００５７】
設定画面には、選択された試験項目、グラフ形式（例えば、図８のような２４種のいずれか）、測定項目のほかに、軸設定画面５０１、計量値／加工値表示領域５０２が表示される。
【００５８】
ユーザは、計量値／加工値表示領域５０２に表示される計量値や加工値の数値データを見て、軸設定画面５０１にてグラフ軸の最大値、最小値または目盛間隔などを設定する。図９で示したグラフ作成モジュールは、設定された軸の値を取得してグラフを作成する。
【００５９】
図１１、図１２、図１３は、作成されるグラフの表示例である。
図１１では、図８のＮｏ．１０またはＮｏ．１２のグラフを示している。すなわち、Ｘ軸、Ｙ軸とも等間隔軸を用い、複数のサンプルの計量値または加工値の最大値、最小値、平均値を表示したグラフである。Ｘ軸及びＹ軸の最大値、最小値または目盛間隔は、図１０の設定画面で設定したものが用いられる。
【００６０】
図１２では、図８のＮｏ．２またはＮｏ．４のグラフを示している。すなわち、Ｘ軸は試験前後軸、Ｙ軸は等間隔軸を用い、複数のサンプルの計量値または加工値の最大値、最小値、平均値を表示したグラフである。このグラフの場合、図１０の設定画面では、Ｘ軸は自動的に設定され、Ｙ軸のみ最大値、最小値または目盛間隔を設定する。
【００６１】
図１３では、図８のＮｏ．１またはＮｏ．３のグラフを示している。すなわち、Ｘ軸は試験前後軸、Ｙ軸は等間隔軸を用い、サンプルＡ、Ｂ、Ｃ、Ｄごとの計量値または加工値を表示したグラフである。
【００６２】
このように試験実施側装置２０１−１〜２０１−ｎで作成したグラフは、Ｗｅｂサーバ２０５などにアップロードすることで、管理側装置２０２−１〜２０２−ｍから参照可能になる。このとき、グラフには、例えば、計画書番号が付加されており、管理側装置２０２−１〜２０２−ｍのユーザは、どの試験計画に属するグラフなのかを簡単に認識することができる。
【００６３】
また、試験実施側装置２０１−１〜２０１−ｎは、電子メールにより、試験結果、異常や不具合が発生した際の通知などを行ってもよい。その際、作成したグラフを添付して送付するようにしてもよい。
【００６４】
図１４は、電子メール送信の際の配信先指定画面の例である。
試験結果などを通知する際に、配信先を個別に指定することは手間がかかるので、配信先をグループ化している。
【００６５】
図１５は、電子メール送信画面の例である。
図１４の画面上で配信先のグループを指定すると、宛先欄には指定したグループのメンバーのアドレスが設定される。しかし、このグループのメンバー全てに配信する必要がない場合がある。その場合、ユーザは削除するメンバーを選択してメンバー削除ボタン６０１をマウス３０６ａなどでクリックすることで、グループのメンバーを再定義することなく配信時点でメンバーを削除できる。逆に、配信するメンバーを新たに追加したい場合には、メンバー追加ボタン６０２をクリックすることで、アドレス帳などを表示して、例えば、ＣＣ（Carbon Copy）の欄に、新たなメンバーを簡単に追加することができる。そして、メール送信ボタン６０３をクリックすることで、宛先欄またはＣＣ欄に表示されているメンバーに電子メールを送信することができる。
【００６６】
ところで上記の説明では、試験計画、試験結果やグラフなどはＷｅｂサーバ２０５にアップロードして、ＷＡＮ２０６を介して管理側装置２０２−１〜２０２−ｍにＷｅｂ公開可能としたが、情報の外部漏洩防止のために、データごとにＷｅｂ公開有無を指定するようにしてもよい。
【００６７】
また、上記では、試験計画の内容として、試験項目、試験条件などを登録すると説明したが、管理項目や管理設備名などを登録するようにしてもよい。これにより、保守部品の交換時期や使用材料の有効期限の管理なども行うことができる。
【００６８】
また、測定データや加工データを基に作成するグラフは、図８のようなグラフに限定されず、ワイブル確率グラフや正規分布確率グラフを作成するようにしてもよい。
（付記１）  ネットワークを介して依頼元からの試験依頼を受け付ける依頼受付手段と、前記試験依頼に基づいた試験計画を作成する試験計画作成手段と、前記試験計画に基づいて実施された試験の試験結果を入力する試験結果入力手段と、を有する試験実施側装置と、
前記試験実施側装置に前記試験の実施を依頼する試験依頼手段と、依頼した前記試験の前記試験計画または前記試験結果を、前記ネットワークを介して閲覧する閲覧手段と、を有する管理側装置と、
を具備することを特徴とする試験管理システム。
【００６９】
（付記２）  前記試験実施側装置は、前記試験後に、次回以降に前記試験を行う作業予定日を設定する試験計画更新手段を有することを特徴とする付記１記載の試験管理システム。
【００７０】
（付記３）  前記試験実施側装置は、入力した測定データを基に自動的に複数種類のグラフを作成するグラフ作成手段を有することを特徴とする付記１または２記載の試験管理システム。
【００７１】
（付記４）  前記試験実施側装置は、入力した測定データと、基準となる測定データとの比較計算を行う比較計算手段を有することを特徴とする付記１乃至３のいずれか一項に記載の試験管理システム。
【００７２】
（付記５）  前記比較計算は、変化率計算、変化量計算、倍率計算またはＰＰＭ計算であることを特徴とする付記４記載の試験管理システム。
（付記６）  前記試験実施側装置は、表示手段をさらに有し、
前記試験計画作成手段は前記試験計画ごとに担当者を設定し、前記表示手段は担当者ごとの当日の作業予定を表示することを特徴とする付記１乃至４のいずれか一項に記載の試験管理システム。
【００７３】
（付記７）  前記試験結果入力手段は、入力した測定データの単位を自動的に変換することを特徴とする付記１乃至６のいずれか一項に記載の試験管理システム。
（付記８）  前記試験結果入力手段は、測定装置からの測定データを自動的に取り込むことを特徴とする付記１乃至７のいずれか一項に記載の試験管理システム。
【００７４】
（付記９）  前記試験実施側装置は、前記試験結果を電子メールで通知する通知手段をさらに有し、
前記通知手段は、配信先をグループで指定するとともに、前記指定後に、前記グループのメンバーのうち配信不要なメンバーを削除または、前記グループに含まれない配信必要なメンバーを追加することを特徴とする付記１乃至８のいずれか一項に記載の試験管理システム。
【００７５】
（付記１０）  前記閲覧手段はＷｅｂブラウザにより、前記試験計画または前記試験結果を閲覧することを特徴とする付記１乃至９のいずれか一項に記載の試験管理システム。
（付記１１）  試験依頼手段はネットワークを介して依頼先に試験依頼し、
依頼受付手段は前記ネットワークを介して依頼元からの前記試験依頼を受け付けると、試験計画作成手段は前記試験依頼に基づいた試験計画を作成し、
試験結果入力手段は前記試験計画に基づいて実施された試験の試験結果を入力し、
依頼元は、閲覧手段によって前記ネットワークを介して前記試験計画または前記試験結果を閲覧することを特徴とする試験管理方法。
【図面の簡単な説明】
【００７６】
【図１】本実施の形態の試験管理システムの概略の構成を示す図である。
【図２】試験管理システムのシステム構成例である。
【図３】試験実施側装置のハードウェア構成例である。
【図４】試験計画を行う担当者を設定するための設定用画面例である。
【図５】試験計画及び試験結果の一部を示す図である。
【図６】担当者ごとの作業予定表の例を示す図である。
【図７】比較計算結果の表示例である。
【図８】作成するグラフの種類の一覧表である。
【図９】グラフ作成モジュール群を示す図である。
【図１０】グラフ軸を設定する際の設定画面の表示例である。
【図１１】作成されるグラフの表示例である（その１）。
【図１２】作成されるグラフの表示例である（その２）。
【図１３】作成されるグラフの表示例である（その３）。
【図１４】電子メール送信の際の配信先指定画面の例である。
【図１５】電子メール送信画面の例である。
【符号の説明】
【００７７】
１０  試験実施側装置
１１  管理側装置
１２  ネットワーク
１０１  依頼受付手段
１０２  試験計画作成手段
１０３  試験結果入力手段
１０４  試験計画更新手段
１０５  グラフ作成手段
１０６  測定データ比較計算手段
１０７  通知手段
１０８  記憶手段
１１１  依頼手段
１１２  閲覧手段
【図１】
2008210188.tif 000003
【図２】
2008210188.tif 000004
【図３】
2008210188.tif 000005
【図４】
2008210188.tif 000006
【図５】
2008210188.tif 000007
【図６】
2008210188.tif 000008
【図７】
2008210188.tif 000009
【図８】
2008210188.tif 000010
【図９】
2008210188.tif 000011
【図１０】
2008210188.tif 000012
【図１１】
2008210188.tif 000013
【図１２】
2008210188.tif 000014
【図１３】
2008210188.tif 000015
【図１４】
2008210188.tif 000016
【図１５】
2008210188.tif 000017